【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
複数のインフラを有する所定の領域又は地域に関し、前記インフラに係るインフラ情報を取得するインフラ情報取得部と、
前記インフラ情報取得部により取得された前記インフラ情報を記憶するインフラ情報記憶部と、
前記インフラを利用する利用者の利用者情報を取得する利用者情報取得部と、
前記利用者情報取得部により取得された前記利用者情報を記憶する利用者情報記憶部と、
前記インフラ又は利用者を管理するための管理情報を記憶する管理情報記憶部と、
前記インフラ情報記憶部に記憶された前記インフラ情報と、前記利用者情報記憶部に記憶された前記利用者情報又は前記管理情報記憶部に記憶された前記管理情報とに基づいて、前記所定の領域又は地域に係る評価指標を算出する評価指標算出部と、
前記評価指標算出部にて算出された前記評価指標を記憶する評価指標記憶部と、を具備することを特徴とする情報処理装置。
【請求項２】
複数のインフラを有する所定の領域又は地域に関し、前記インフラに係るインフラ情報を取得するインフラ情報取得部と、
前記インフラ情報取得部により取得された前記インフラ情報を記憶するインフラ情報記憶部と、
前記インフラを利用する住民の住民情報を取得する住民情報取得部と、
前記住民情報取得部により取得された前記住民情報を記憶する住民情報記憶部と、
前記インフラ又は住民を管理するための管理情報を記憶する管理情報記憶部と、
前記インフラ情報記憶部に記憶された前記インフラ情報と、前記住民情報記憶部に記憶された前記住民情報又は前記管理情報記憶部に記憶された前記管理情報とに基づいて、前記所定の領域又は地域に係る評価指標を算出する評価指標算出部と、
前記評価指標算出部にて算出された前記評価指標を記憶する評価指標記憶部と、を具備することを特徴とする情報処理装置。
【請求項３】
複数のインフラを有する所定の領域又は地域に関し、前記インフラに係るインフラ情報を取得するインフラ情報取得部と、
前記インフラ情報取得部により取得された前記インフラ情報を記憶するインフラ情報記憶部と、
前記インフラを利用する利用者の利用者情報を取得する利用者情報取得部と、
前記利用者情報取得部により取得された前記利用者情報を記憶する利用者情報記憶部と、
前記インフラ情報記憶部に記憶される前記インフラ情報と前記利用者情報記憶部に記憶される前記利用者情報とに基づいて、前記所定の領域又は地域に係る評価指標を算出する評価指標算出部と、
前記評価指標算出部にて算出された前記評価指標を記憶する評価指標記憶部と、を具備することを特徴とする情報処理装置。
【請求項４】
複数のインフラを有する所定の領域又は地域に関し、前記インフラに係るインフラ情報を取得するインフラ情報取得部と、
前記インフラ情報取得部により取得された前記インフラ情報を記憶するインフラ情報記憶部と、
前記インフラを利用する住民の住民情報を取得する住民情報取得部と、
前記住民情報取得部により取得された前記住民情報を記憶する住民情報記憶部と、
前記インフラ情報記憶部に記憶される前記インフラ情報と前記住民情報記憶部に記憶される前記住民情報とに基づいて、前記所定の領域又は地域に係る評価指標を算出する評価指標算出部と、
前記評価指標算出部にて算出された前記評価指標を記憶する評価指標記憶部と、を具備することを特徴とする情報処理装置。
【請求項５】
複数のインフラを有する所定の領域又は地域に関し、前記インフラに係るインフラ情報を記憶するインフラ情報記憶部と、
前記インフラを利用する利用者の利用者情報を記憶する利用者情報記憶部と、
前記インフラ又は利用者を管理するための管理情報を記憶する管理情報記憶部と、
前記インフラ情報記憶部に記憶される前記インフラ情報と、前記利用者情報記憶部に記憶される前記利用者情報又は前記管理情報記憶部に記憶される前記管理情報とに基づいて、前記所定の領域又は地域に係る評価指標を算出する評価指標算出部と、
前記評価指標算出部にて算出された前記評価指標を記憶する評価指標記憶部と、を具備することを特徴とする情報処理装置。
【請求項６】
複数のインフラを有する所定の領域又は地域に関し、前記インフラに係るインフラ情報を記憶するインフラ情報記憶部と、
前記インフラを利用する住民の住民情報を記憶する住民情報記憶部と、
前記インフラ又は住民を管理するための管理情報を記憶する管理情報記憶部と、
前記インフラ情報記憶部に記憶される前記インフラ情報と、前記住民情報記憶部に記憶される前記住民情報又は前記管理情報記憶部に記憶される前記管理情報とに基づいて、前記所定の領域又は地域に係る評価指標を算出する評価指標算出部と、
前記評価指標算出部にて算出された前記評価指標を記憶する評価指標記憶部と、を具備することを特徴とする情報処理装置。
【請求項７】
複数のインフラを有する所定の領域又は地域に関し、前記インフラに係るインフラ情報を記憶するインフラ情報記憶部と、
前記インフラを利用する利用者の利用者情報を記憶する利用者情報記憶部と、
前記インフラ情報記憶部に記憶される前記インフラ情報と前記利用者情報記憶部に記憶される前記利用者情報とに基づいて、前記所定の領域又は地域に係る評価指標を算出する評価指標算出部と、
前記評価指標算出部にて算出された前記評価指標を記憶する評価指標記憶部と、を具備することを特徴とする情報処理装置。
【請求項８】
複数のインフラを有する所定の領域又は地域に関し、前記インフラに係るインフラ情報を記憶するインフラ情報記憶部と、
前記インフラを利用する住民の住民情報を記憶する住民情報記憶部と、
前記インフラ情報記憶部に記憶される前記インフラ情報と前記住民情報記憶部に記憶される前記住民情報とに基づいて、前記所定の領域又は地域に係る評価指標を算出する評価指標算出部と、
前記評価指標算出部にて算出された前記評価指標を記憶する評価指標記憶部と、を具備することを特徴とする情報処理装置。
【請求項９】
複数のインフラを有する所定の領域若しくは地域に関し、前記インフラに係るインフラ情報を取得するインフラ情報取得手段と、
前記インフラ情報取得手段により取得された前記インフラ情報を記憶するインフラ情報記憶部と、
前記インフラを利用する住民若しくは利用者、又は前記所定の領域若しくは地域の管理との関係に関わり、少なくとも前記インフラ情報に基づいて前記所定の領域若しくは地域に係る評価指標を算出する評価指標算出部と、
前記評価指標算出部にて算出された前記評価指標を記憶する評価指標記憶部と、を具備することを特徴とする情報処理装置。
【請求項１０】
複数のインフラを有する所定の領域若しくは地域に関し、前記インフラに係るインフラ情報を記憶するインフラ情報記憶部と、
前記インフラを利用する住民若しくは利用者、又は前記所定の領域若しくは地域の管理との関係に関わり、少なくとも前記インフラ情報に基づいて前記所定の領域若しくは地域に係る評価指標を算出する評価指標算出部と、
前記評価指標算出部にて算出された前記評価指標を記憶する評価指標記憶部と、を具備することを特徴とする情報処理装置。
【請求項１１】
コンピュータを用いる情報処理方法において、
前記コンピュータが、
複数のインフラを有する所定の領域又は地域に関し、前記インフラに係るインフラ情報を取得し、
取得された前記インフラ情報をインフラ情報記憶部に記憶し、
前記インフラを利用する利用者の利用者情報を取得し、
取得された前記利用者情報を利用者情報記憶部に記憶し、
前記インフラ又は利用者を管理するための管理情報を管理情報記憶部に記憶し、
前記インフラ情報記憶部に記憶される前記インフラ情報と、前記利用者情報記憶部に記憶される前記利用者情報又は前記管理情報記憶部に記憶される前記管理情報とに基づいて、前記所定の領域又は地域に係る評価指標を算出し、
前記算出される前記評価指標を評価指標記憶部に記憶することを特徴とする情報処理方法。
【請求項１２】
コンピュータを用いる情報処理方法において、
前記コンピュータが、
複数のインフラを有する所定の領域又は地域に関し、前記インフラに係るインフラ情報を取得し、
取得された前記インフラ情報をインフラ情報記憶部に記憶し、
前記インフラを利用する住民の住民情報を取得し、
取得された前記住民情報を住民情報記憶部に記憶し、
前記インフラ又は住民を管理するための管理情報を管理情報記憶部に記憶し、
前記インフラ情報記憶部に記憶される前記インフラ情報と、前記住民情報記憶部に記憶される前記住民情報又は前記管理情報記憶部に記憶される前記管理情報とに基づいて、前記所定の領域又は地域に係る評価指標を算出し、
前記算出された前記評価指標を評価指標記憶部に記憶することを特徴とする情報処理方法。
【請求項１３】
コンピュータを用いる情報処理方法において、
前記コンピュータが、
複数のインフラを有する所定の領域又は地域に関し、前記インフラに係るインフラ情報を取得し、
取得された前記インフラ情報をインフラ情報記憶部に記憶し、
前記インフラを利用する利用者の利用者情報を取得し、
取得された前記利用者情報を利用者情報記憶部に記憶し、
前記インフラ情報記憶部に記憶される前記インフラ情報と前記利用者情報記憶部に記憶される前記利用者情報とに基づいて、前記所定の領域又は地域に係る評価指標を算出し、
前記算出された前記評価指標を評価指標記憶部に記憶することを特徴とする情報処理方法。
【請求項１４】
コンピュータを用いる情報処理方法において、
前記コンピュータが、
複数のインフラを有する所定の領域又は地域に関し、前記インフラに係るインフラ情報を取得し、
取得された前記インフラ情報をインフラ情報記憶部に記憶し、
前記インフラを利用する住民の住民情報を取得し、
取得された前記住民情報を住民情報記憶部に記憶し、
前記インフラ情報記憶部に記憶される前記インフラ情報と前記住民情報記憶部に記憶される前記住民情報とに基づいて、前記所定の領域又は地域に係る評価指標を算出し、
前記算出された前記評価指標を評価指標記憶部に記憶することを特徴とする情報処理方法。
【請求項１５】
コンピュータを用いる情報処理方法において、
前記コンピュータが、
複数のインフラを有する所定の領域又は地域に関し、前記インフラに係るインフラ情報をインフラ情報記憶部に記憶し、
前記インフラを利用する利用者の利用者情報を利用者情報記憶部に記憶し、
前記インフラ又は利用者を管理するための管理情報を管理情報記憶部に記憶し、
前記インフラ情報記憶部に記憶される前記インフラ情報と、前記利用者情報記憶部に記憶される前記利用者情報又は前記管理情報記憶部に記憶される前記管理情報とに基づいて、前記所定の領域又は地域に係る評価指標を算出し、
前記算出された前記評価指標を評価指標記憶部に記憶することを特徴とする情報処理方法。
【請求項１６】
コンピュータを用いる情報処理方法において、
前記コンピュータが、
複数のインフラを有する所定の領域又は地域に関し、前記インフラに係るインフラ情報をインフラ情報記憶部に記憶し、
前記インフラを利用する住民の住民情報を住民情報記憶部に記憶し、
前記インフラ又は住民を管理するための管理情報を管理情報記憶部に記憶し、
前記インフラ情報記憶部に記憶される前記インフラ情報と、前記住民情報記憶部に記憶される前記住民情報又は前記管理情報記憶部に記憶される前記管理情報とに基づいて、前記所定の領域又は地域に係る評価指標を算出し、
前記算出された前記評価指標を評価指標記憶部に記憶することを特徴とする情報処理方法。
【請求項１７】
コンピュータを用いる情報処理方法において、
前記コンピュータが、
複数のインフラを有する所定の領域又は地域に関し、前記インフラに係るインフラ情報をインフラ情報記憶部に記憶し、
前記インフラを利用する利用者の利用者情報を利用者情報記憶部に記憶し、
前記インフラ情報記憶部に記憶される前記インフラ情報と前記利用者情報記憶部に記憶される前記利用者情報とに基づいて、前記所定の領域又は地域に係る評価指標を算出し、
前記算出された前記評価指標を評価指標記憶部に記憶することを特徴とする情報処理方法。
【請求項１８】
コンピュータを用いる情報処理方法において、
前記コンピュータが、
複数のインフラを有する所定の領域又は地域に関し、前記インフラに係るインフラ情報を記憶し、
前記インフラを利用する住民の住民情報を住民情報記憶部に記憶し、
前記インフラ情報記憶部に記憶される前記インフラ情報と前記住民情報記憶部に記憶される前記住民情報とに基づいて、前記所定の領域又は地域に係る評価指標を算出し、
前記算出された前記評価指標を評価指標記憶部に記憶することを特徴とする情報処理方法。
【請求項１９】
コンピュータを用いる情報処理方法において、
前記コンピュータが、
複数のインフラを有する所定の領域若しくは地域に関し、前記インフラに係るインフラ情報を取得し、
取得された前記インフラ情報を記憶し、
前記インフラを利用する住民若しくは利用者、又は前記所定の領域若しくは地域の管理との関係に関わり、少なくとも前記インフラ情報に基づいて前記所定の領域若しくは地域に係る評価指標を算出し、
前記算出された前記評価指標を評価指標記憶部に記憶することを特徴とする情報処理方法。
【請求項２０】
コンピュータを用いる情報処理方法において、
前記コンピュータが、
複数のインフラを有する所定の領域若しくは地域に関し、前記インフラに係るインフラ情報を記憶し、
前記インフラを利用する住民若しくは利用者、又は前記所定の領域若しくは地域の管理との関係に関わり、少なくとも前記インフラ情報に基づいて前記所定の領域若しくは地域に係る評価指標を算出し、
前記算出された前記評価指標を評価指標記憶部に記憶することを特徴とする情報処理方法。
【請求項２１】
コンピュータにより実行されるプログラムであって、前記プログラムは、
複数のインフラを有する所定の領域又は地域に関し、前記インフラに係るインフラ情報を取得し、
取得された前記インフラ情報をインフラ情報記憶部に記憶し、
前記インフラを利用する利用者の利用者情報を取得し、
取得された前記利用者情報を利用者情報記憶部に記憶し、
前記インフラ又は利用者を管理するための管理情報を管理情報記憶部に記憶し、
前記インフラ情報記憶部に記憶される前記インフラ情報と、前記利用者情報記憶部に記憶される前記利用者情報又は前記管理情報記憶部に記憶される前記管理情報とに基づいて、前記所定の領域又は地域に係る評価指標を算出し、
前記算出された前記評価指標を評価指標記憶部に記憶することを特徴とするプログラム。
【請求項２２】
コンピュータにより実行されるプログラムであって、前記プログラムは、
複数のインフラを有する所定の領域又は地域に関し、前記インフラに係るインフラ情報を取得し、
取得された前記インフラ情報をインフラ情報記憶部に記憶し、
前記インフラを利用する住民の住民情報を取得し、
取得された前記住民情報を住民情報記憶部に記憶し、
前記インフラ又は住民を管理するための管理情報を管理情報記憶部に記憶し、
前記インフラ情報記憶部に記憶される前記インフラ情報と、前記住民情報記憶部に記憶される前記住民情報又は前記管理情報記憶部に記憶される前記管理情報とに基づいて、前記所定の領域又は地域に係る評価指標を算出し、
前記算出された前記評価指標を評価指標記憶部に記憶することを特徴とするプログラム。
【請求項２３】
コンピュータにより実行されるプログラムであって、前記プログラムは、
複数のインフラを有する所定の領域又は地域に関し、前記インフラに係るインフラ情報を取得し、
取得された前記インフラ情報をインフラ情報記憶部に記憶し、
前記インフラを利用する利用者の利用者情報を取得し、
取得された前記利用者情報を利用者情報記憶部に記憶し、
前記インフラ情報記憶部に記憶される前記インフラ情報と前記利用者情報記憶部に記憶される前記利用者情報とに基づいて、前記所定の領域又は地域に係る評価指標を算出し、
前記算出された前記評価指標を評価指標記憶部に記憶することを特徴とするプログラム。
【請求項２４】
コンピュータにより実行されるプログラムであって、前記プログラムは、
複数のインフラを有する所定の領域又は地域に関し、前記インフラに係るインフラ情報を取得し、
取得された前記インフラ情報をインフラ情報記憶部に記憶し、
前記インフラを利用する住民の住民情報を取得し、
取得された前記住民情報を住民情報記憶部に記憶し、
前記インフラ情報記憶部に記憶される前記インフラ情報と前記住民情報記憶部に記憶される前記住民情報とに基づいて、前記所定の領域又は地域に係る評価指標を算出し、
前記算出された前記評価指標を評価指標記憶部に記憶することを特徴とするプログラム。
【請求項２５】
コンピュータにより実行されるプログラムであって、前記プログラムは、
複数のインフラを有する所定の領域又は地域に関し、前記インフラに係るインフラ情報をインフラ情報記憶部に記憶し、
前記インフラを利用する利用者の利用者情報を利用者情報記憶部に記憶し、
前記インフラ又は利用者を管理するための管理情報を管理情報記憶部に記憶し、
前記インフラ情報記憶部に記憶される前記インフラ情報と、前記利用者情報記憶部に記憶される前記利用者情報又は前記管理情報記憶部に記憶される前記管理情報とに基づいて、前記所定の領域又は地域に係る評価指標を算出し、
前記算出された前記評価指標を評価指標記憶部に記憶することを特徴とするプログラム。
【請求項２６】
コンピュータにより実行されるプログラムであって、前記プログラムは、
複数のインフラを有する所定の領域又は地域に関し、前記インフラに係るインフラ情報をインフラ情報記憶部に記憶し、
前記インフラを利用する住民の住民情報を住民情報記憶部に記憶し、
前記インフラ又は住民を管理するための管理情報を管理情報記憶部に記憶し、
前記インフラ情報記憶部に記憶される前記インフラ情報と、前記住民情報記憶部に記憶される前記住民情報又は前記管理情報記憶部に記憶される前記管理情報とに基づいて、前記所定の領域又は地域に係る評価指標を算出し、
前記算出された前記評価指標を評価指標記憶部に記憶することを特徴とするプログラム。
【請求項２７】
コンピュータにより実行されるプログラムであって、前記プログラムは、
複数のインフラを有する所定の領域又は地域に関し、前記インフラに係るインフラ情報をインフラ情報記憶部に記憶し、
前記インフラを利用する利用者の利用者情報を利用者情報記憶部に記憶し、
前記インフラ情報記憶部に記憶される前記インフラ情報と前記利用者情報記憶部に記憶される前記利用者情報とに基づいて、前記所定の領域又は地域に係る評価指標を算出し、
前記算出された前記評価指標を評価指標記憶部に記憶することを特徴とするプログラム。
【請求項２８】
コンピュータにより実行されるプログラムであって、前記プログラムは、
複数のインフラを有する所定の領域又は地域に関し、前記インフラに係るインフラ情報を記憶し、
前記インフラを利用する住民の住民情報を住民情報記憶部に記憶し、
前記インフラ情報記憶部に記憶される前記インフラ情報と前記住民情報記憶部に記憶される前記住民情報とに基づいて、前記所定の領域又は地域に係る評価指標を算出し、
前記算出された前記評価指標を評価指標記憶部に記憶することを特徴とするプログラム。
【請求項２９】
コンピュータにより実行されるプログラムであって、前記プログラムは、
複数のインフラを有する所定の領域若しくは地域に関し、前記インフラに係るインフラ情報を取得し、
所得される前記インフラ情報を記憶し、
前記インフラを利用する住民若しくは利用者、又は前記所定の領域若しくは地域の管理との関係に関わり、少なくとも前記インフラ情報に基づいて前記所定の領域若しくは地域に係る評価指標を算出し、
前記算出された前記評価指標を評価指標記憶部に記憶することを特徴とするプログラム。
【請求項３０】
コンピュータにより実行されるプログラムであって、前記プログラムは、
複数のインフラを有する所定の領域若しくは地域に関し、前記インフラに係るインフラ情報を記憶し、
前記インフラを利用する住民若しくは利用者、又は前記所定の領域若しくは地域の管理との関係に関わり、少なくとも前記インフラ情報に基づいて前記所定の領域若しくは地域に係る評価指標を算出し、
前記算出された前記評価指標を評価指標記憶部に記憶することを特徴とするプログラム。